(57)【特許請求の範囲】
【請求項１】
蓄電装置と、
前記蓄電装置を保持するホルダーと、
筒状の側壁部と前記側壁部の一方の端部を閉じた底面部とを有するケースと、
前記蓄電装置と電気的に接続された配線が形成された制御基板と、を備え、
前記ケース内には、前記ホルダーと前記制御基板とが収容されており、
前記ホルダーは、前記制御基板に固定され、
前記ホルダーは、前記ケースに固定され、
前記ホルダーと前記制御基板との固定強度は、前記ホルダーと前記ケースとの固定強度よりも大きい、
蓄電ユニット。
【請求項２】
前記ケースには、前記側壁部の他方の端部に開口部が形成され、
前記ケース内において、前記制御基板は、前記ケースの前記底面部および前記開口部が互いに対向する第１の方向と平行に収容されており、
前記制御基板は、互いに対向する一対の側端辺が前記ケースの前記側壁部の内面に当接することにより前記ケース内に支持されている、
請求項１に記載の蓄電ユニット。
【請求項３】
前記ホルダーは、前記ケースの前記底面部と対向する前記ホルダーの後端部が前記ケースの前記底面部の内面に当接することにより、前記ケース内に固定されている、
請求項１または２に記載の蓄電ユニット。
【請求項４】
前記ホルダーの前記後端部には突出部が設けられ、前記ケースの前記底面部の内面上には前記ホルダーの前記突出部を挟持する凹部が設けられ、
前記ホルダーは、前記ホルダーの前記突出部が前記ケースの前記凹部に挟持されることにより、前記ケースに固定されている、
請求項３に記載の蓄電ユニット。
【請求項５】
前記ケース内には、前記第１の方向と平行に延びる一対の第１の溝が形成され、
前記第１の溝の中には、前記制御基板の前記側端辺の一部が挿入されている、
請求項２に記載の蓄電ユニット。
【請求項６】
前記ケース内には、前記第１の方向と平行に延びる一対の第２の溝が形成され、
前記第２の溝の中には、前記ホルダーの側端部の一部が挿入されている、
請求項２に記載の蓄電ユニット。
【請求項７】
蓄電装置と、
前記蓄電装置を保持するホルダーと、
筒状の側壁部と前記側壁部の一方の端部を閉じた底面部とを有し、前記側壁部の他方の端部に開口部が形成されたケースと、を備え、
前記ケース内には、前記底面部および前記開口部が互いに対向する第１の方向と平行に延びる、ガイド壁が形成され、
前記ケースの前記側壁部には、固定具接続部が設けられ、
前記固定具接続部は、前記ケースの外面に固定具を保持する嵌合面を含み、
前記嵌合面と対向する前記ケースの内面と、前記ケース内の前記ガイド壁との間には、空隙が設けられている、
蓄電ユニット。
【請求項８】
前記蓄電装置と電気的に接続された配線が形成された制御基板をさらに備える、
請求項７に記載の蓄電ユニット。
【請求項９】
前記ケース内には、前記ホルダーと前記制御基板とが収容されており、
前記ホルダーは、前記制御基板に固定され、
前記ホルダーは、前記ケースに固定され、
前記ホルダーと前記制御基板との固定強度は、前記ホルダーと前記ケースとの固定強度よりも大きい、
請求項８に記載の蓄電ユニット。
【請求項１０】
前記ケース内の前記ガイド壁には、前記第１の方向と平行に延びる第１の溝が形成され、
前記第１の溝には、前記制御基板の側端辺の一部が挿入されている、
請求項８または９に記載の蓄電ユニット。
【請求項１１】
前記ケース内の前記ガイド壁には、前記第１の方向と平行に延びる第２の溝が形成され、
前記第２の溝には、前記ホルダーの側端部の一部が挿入されている、
請求項７〜１０のいずれかに記載の蓄電ユニット。
【請求項１２】
前記ケースの前記開口部を覆う蓋をさらに備え、
前記蓋は、前記開口部内に収容され、
前記ケースの前記側壁部の前記他方の端部には、前記蓋より外側に突出した庇部が形成されている、
請求項８に記載の蓄電ユニット。
【請求項１３】
前記蓋と前記ケースの前記側壁部の内面との間に、隙間部が形成されている、
請求項１２に記載の蓄電ユニット。
【請求項１４】
前記制御基板上に、前記配線と電気的に接続された外部接続端子を備え、
前記蓋は、貫通孔を有し、
前記外部接続端子は、前記貫通孔を通って前記ケースの外部へ露出している、
請求項１２または１３に記載の蓄電ユニット。
【請求項１５】
前記蓋の外面上の前記貫通孔の周囲には、隆起部が設けられている、
請求項１４のいずれかに記載の蓄電ユニット。
【発明の詳細な説明】
【技術分野】
【０００１】
本発明は、各種電子機器、電気機器、産業機器、自動車等に用いられる蓄電ユニットに関するものである。
【背景技術】
【０００２】
蓄電装置の一例として、電気二重層キャパシタは、電子機器の動力アシストやバックアップなどを目的とした蓄電デバイスとして開発されている。その中で、複数のキャパシタを組み合わせた蓄電ユニットの検討が行われている。【０００３】
図１３は、従来の蓄電ユニットの一例として、従来のキャパシタモジュールを示した斜視図である。従来のキャパシタモジュールは、複数のキャパシタやこれらキャパシタと電気的に接続した制御基板（いずれも図示なし）を上下から挟むように収容する下ケース１０１、上ケース１０２と、この下ケース１０１、上ケース１０２から外部へ露出したコネクタ１０３と、下ケース１０１、上ケース１０２を端部で固定するビス１０４とを有している。【０００４】
なお、この出願に関する先行文献情報として、例えば特許文献１が知られている。
【先行技術文献】
【特許文献】
【０００５】
【特許文献１】特開２００９−２５３００９号公報
【発明の概要】
【０００６】
上記のような蓄電ユニットのケースを用いることにより、確かに蓄電ユニットは一定の気密性を得ることができ、ケース内部へ異物が入り込むことを抑制することができる。しかしながら、ケースの外部から内部へ水滴の浸入を防ぐために更なる検討が必要であった。
【０００７】
そこで、本発明は、水滴の浸入を容易に防ぐことができる蓄電ユニットを提供することを目的とする。
【０００８】
上記課題を解決するために、本発明の蓄電ユニットは、蓄電装置と、この蓄電装置を保持するホルダーと、蓄電装置とホルダーとを収容した有底筒状のケースと、ケースの開口部を覆う蓋とを備え、蓋は、少なくとも一部がケース内に挿入されていることを特徴としている。
【０００９】
この構成により、本発明の蓄電ユニットは、異物がケース内部に入り込むことが抑制され、信頼性が向上する。これは、この構成により、ケースと蓋の境目が形成される面を一方の側（ケースの開口部側）のみとすることができるためである。これにより、異物（特に、水滴）の入り込む入り口を制限することが可能となる。
【図面の簡単な説明】
【００１０】
【図１】図１は、本発明の実施例における蓄電ユニットを示した分解斜視図である。
【図２】図２は、本発明の実施例における蓄電ユニットを示した外観斜視図である。
【図３】図３は、本発明の実施例における蓄電装置、ホルダー、制御基板、コネクタを示した斜視図である。
【図４】図４は、本発明の実施例における蓄電ユニットをケースの側壁の一部を除いて示した平面図である。
【図５】図５は、本発明の実施例における蓄電ユニットを図４における切断線ＡＡに基づき切断して示した断面図である。
【図６】図６は、本発明の実施例における蓄電ユニットを図４における切断線ＢＢに基づき切断して示した断面図である。
【図７】図７は、本発明の実施例における蓄電ユニットを図４における階段切断線ＣＣに基づき切断して示した断面図である。
【図８】図８は、本発明の実施例における蓄電ユニットに用いられるケースおよび蓋を示した平面断面図である。
【図９】図９は、本発明の実施例における蓄電ユニットを他の部材に固定する方法を示した模式図である。
【図１０】図１０は、本発明の他の実施例における蓄電ユニットのケースの開口部と蓋の近傍を示した部分斜視図である。
【図１１】図１１は、本発明の他の実施例における蓄電ユニットを図１０における切断線ＤＤに基づき切断して示した開口部側の部分断面図である
【図１２】図１２は、本発明の他の実施例における蓄電ユニットの部分正面図である。
【図１３】図１３は、従来の蓄電ユニットを示した外観斜視図である。
【発明を実施するための形態】
【００１１】
以下に、図面を参照しながら本発明の実施例について説明するが本発明の構成は、以下の内容に限定されない。
【００１２】
図１は、本実施例における蓄電ユニットを示した分解斜視図である。図２は、本実施例における蓄電ユニットを示した外観斜視図である。
【００１３】
図１、図２に示すように、本実施例の蓄電ユニットは、充放電を行う複数の蓄電装置１と、これら蓄電装置１を支持するホルダー２と、蓄電装置１と電気的に接続され、ホルダー２に支持された制御基板３と、この制御基板３と電気的に接続されることにより、蓄電装置１と電気的に接続されたコネクタ４と、上記蓄電装置１、ホルダー２、制御基板３、およびコネクタ４を収容する有底筒状のケース５と、ケース５を封止する蓋６とから構成されている。なお、コネクタ４は、本発明の「外部接続端子」の一例である。
【００１４】
ケース５の側壁部は、断面が矩形の筒状であって、水平方向（図中ｘ方向）に対向する側壁５ａと、上下方向（図中ｚ方向）に対向する側壁５ｈとを有する。また、側壁部（側壁５ａ、５ｈ）のｙ方向（図１参照）の一方（後方）の端部を閉じた底面部５ｉを有し、側壁部のｙ方向の他方（前方）の端部には、開口部５ｊが形成されている。蓄電装置１、ホルダー２、制御基板３、およびコネクタ４は、ケース５の前方（開口部５ｊ側）から後方（底面部５ｉ側）に向かって、図中ｙ方向に挿入されている。なお、底面部５ｉおよび開口部５ｊが対向する方向（図中ｙ方向）は、本発明の「第１の方向」の一例である。
【００１５】
図３は、本実施例の蓄電装置１、ホルダー２、制御基板３、コネクタ４を示した斜視図であり、図３（ａ）は上方斜視図、図３（ｂ）は、下方斜視図である。
【００１６】
蓄電装置１は、一例として、電気二重層キャパシタから構成されている。図１、図３に示すように、本実施例の蓄電装置１は、蓄電素子および電解液（いずれも図示なし）を収容する有底円筒状の外装容器１ａと、外装容器１ａの開口部を封止する封口材１ｂと、封口材１ｂに設けられた貫通孔（図示なし）から外部に延びる一対の線状の外部端子１ｃとを備えている。外部端子１ｃは、導電材から構成されており、それぞれ、外装容器１ａ内において蓄電素子の一対の電極と電気的に接続されている。また、外装容器１ａは、例えば、金属から構成されており、封口材１ｂは、例えば、ゴムから構成されている。以下の説明において、外装容器１ａの底面から封口材１ｂに向かう方向（図中ｙ方向）を蓄電装置１の高さ方向とする。
【００１７】
ホルダー２は、絶縁材から構成されている。本実施例では、このホルダー２は、複数（５個）の蓄電装置１をそれぞれ収容する複数の収容室２ａと、収容室２ａの開口端から延出した舌片状の固定爪２ｂと、上記収容室２ａの底に形成された舌片状の固定爪２ｃとを有する。固定爪２ｂは、それぞれの収容室２ａの両側に３対ずつ形成されている。また、固定爪２ｃは、収容室２ａの底にコの字状のスリット孔を形成することにより形成されている。固定爪２ｂ、２ｃは、それぞれ、蓄電装置１の外装容器１ａの側面を挟むように、外装容器１ａの円筒状の周側面と当接するとともに押圧する。これにより、蓄電装置１は、ホルダー２に保持される。上記複数の収容室２ａは、収容された複数の蓄電装置１の各高さ方向が平行となるように並んで設けられている。
【００１８】
制御基板３には、板状の樹脂基材の平面上に配線（図示なし）が形成されている。複数の上記蓄電装置１の外部端子１ｃとこの配線とを電気的に接続することにより、複数の蓄電装置１どうしを直列あるいは並列に接続することができる。
【００１９】
ホルダー２は、制御基板３の上記配線が形成された平面上に固定されており、制御基板３と上記ホルダー２の上記収容室２ａを形成した面の裏面とは、部分的に対向している。上記ホルダー２の制御基板３と対向する側の面には、基板支持部２ｇ、２ｈが形成されている。基板支持部２ｈはボスであり、基板支持部２ｈを制御基板３に形成されたガイド孔３ａに挿入することにより、ホルダー２と制御基板３の位置決めを行う。基板支持部２ｇはスナップフィットであり、基板支持部２ｇを制御基板３に形成された固定用孔３ｂに挿入することにより、ホルダー２と制御基板３とを固定する。本実施例のホルダー２および制御基板３は、互いに逆方向（図中ｙ方向）に突出するようにずれて対向している。突出した方向は、図１を参照して、ケース５の底面部５ｉから開口部５ｊに向かう方向（蓋６が対向する方向）と同じ方向（平行となる方向）である。
【００２０】
上記蓄電装置１は、この収容室２ａの開口面と蓄電装置１の高さ方向が平行となるように、収容室２ａに収容されている。線状である外部端子１ｃは、上記ホルダー２から上記高さ方向（図中ｙ方向）に延び、途中に設けられた屈曲部により、制御基板３の平面に向かってｚ方向に曲げられた後、制御基板３の平面上に形成された配線に電気的に接続されている。このとき、本実施例の外部端子１ｃは、制御基板３に向かってｚ方向に延びている部分が、ホルダー２に設けられた端子支持部２ｄにより、挟持される。この構成により、外部応力によって生じる、外部端子１ｃと制御基板３の接続箇所にかかる応力を低減させることができる。
【００２１】
図４は、本実施例の蓄電ユニットにおいて、ケース５の上面側（図１、図２参照）の側壁５ｈの図示を省略して、ケース５内に収容された部材を図示した平面図である。図５は、本実施例の蓄電ユニットを図４における切断線ＡＡに基づき切断して示した断面図であり、図６は、本実施例の蓄電ユニットを図４における切断線ＢＢに基づき切断して示した断面図であり、図７は、本実施例の蓄電ユニットを図４における階段切断線ＣＣに基づき切断して示した断面図である。図８は、ケース５および蓋６を水平方向に切断して示した平面断面図である。
【００２２】
図５、図６に示すように、蓄電装置１を収容するホルダー２の収容室２ａは、略半円柱状の空隙を有した凹部で構成されている。
【００２３】
ケース５は、絶縁材料から構成されている。本実施例のケース５では、側壁５ｈのほうが側壁５ａより面積が大きく、ケース５の開口部５ｊを構成する矩形形状の端辺が長い。
【００２４】
ケース５は内部にホルダー２、制御基板３を支持するための複数の固定手段が設けられている。図１、図５に示すように、ケース５において、本実施例の制御基板３は、その平面が側壁５ｈと平行となるように収容されている。
【００２５】
図１、図５、図８に示すように、本実施例のケース５には、下面側の側壁５ｈの内面上に、側壁５ａと平行となるガイド壁５ｂが立設されている。このガイド壁５ｂは、一対で設けられ、それぞれ側壁５ａと平行である。この一対のガイド壁５ｂには、互いに対向する面に直線状のガイド溝５ｃが形成されている。このときガイド溝５ｃの形成方向は、ケース５の底面部５ｉから開口部５ｊに向かう方向（図１のｙ方向）である。なお、ガイド溝５ｃは、本発明の「第１の溝」の一例である。このガイド溝５ｃ内に制御基板３の両端辺が収容（挿入）され、ケース５内での制御基板３の位置が決定される。
【００２６】
図１、図６のように、ケース５は、ガイド溝５ｃより、さらにケース５の底面部５ｉに近い位置にガイド溝５ｄを有する。なお、ガイド溝５ｄは、本発明の「第２の溝」の一例である。このガイド溝５ｄには、ホルダー２の側面に形成された鍔部２ｅ（図３参照）の先端が挿入される。なお、鍔部２ｅは、本発明の「側端部」の一例である。また、図１、図７のように、ケース５の底面部５ｉの内側には凹部５ｅが形成され、この凹部５ｅは、ケース５の底面部５ｉと対向するホルダー２の後端部に形成された鍔部２ｆを挟持する。なお、鍔部２ｆは、本発明の「突出部」の一例である。このように、鍔部２ｅおよび２ｆにより、ホルダー２は、側壁５ｈおよび底面部５ｉに固定される。
【００２７】
なお、ガイド溝５ｃはケース５の開口部５ｊから底面部５ｉに向かうほど、溝の深さを浅くすることにより、底面部５ｉに近づく程、制御基板３の両端に加わる応力を高くすることができる。このように構成することにより、ケース５内において、制御基板３は、ガイド溝５ｃによっても固定することができるので、一体となったホルダー２と制御基板３の３軸からの応力に対する固定を実現できる。この場合、蓋６で制御基板３を押圧することなく、ケース５内で、ホルダー２および制御基板３の固定ができるため、外部端子１ｃと制御基板３との接続箇所への負担を低減できる。
【００２８】
さらに、外部端子１ｃと制御基板３との接続箇所への負担を低減するために、凹部５ｅと鍔部２ｆを嵌合するのに必要な応力より、基板支持部２ｈと制御基板３との固定強度の方が高いことを特徴としている。この構成により、凹部５ｅと鍔部２ｆを嵌合して固定する際にホルダー２から制御基板３へ加わる応力を抑制することができる。上記嵌合に必要な応力および基板支持部２ｈと制御基板３との間の固定強度の調整手段の一例として、固定し合う２つの部材の隙間寸法を調整することが挙げられる。本実施例の場合、図３（ｂ）を参照して、制御基板３のガイド孔３ａと挿入される基板支持部２ｈとの間の隙間寸法が、鍔部２ｆと凹部５ｅとの間の隙間寸法より小さい構成となっている。
【００２９】
また、ガイド溝５ｃ、５ｄは、互いに平行であるとともに、互いが同じ平面上に位置しない、言い換えれば、図５、図６を参照して、ｚ方向に異なる平面上に位置する構成が好ましい。これは、一体となったホルダー２、制御基板３において、上下方向（上記側壁５ｈの対向方向）の応力に対して、より強固に固定することが可能であるためである。
【００３０】
さらに、ホルダー２と制御基板３の間で上記のように異なる方向の応力に対する固定を行うことにより、制御基板３やホルダー２の個々の寸法誤差が発生した際にホルダー２と制御基板３の位置関係が矯正され、外部端子１ｃと制御基板３の接続箇所に負担が加わることを抑制することができる。
【００３１】
蓋６は、板状の絶縁材から構成されている。また、図１、図７、図８のように、本実施例の蓋６は、ケース５の開口部５ｊ側に設けられた段状である蓋収容部５ｇに収容されている。蓋収容部５ｇに設けられたビス孔とビス７とが螺合されることにより、蓋６はケース５に固定される。なお、制御基板３は、図示しないビスなどにより蓋６に固定することができる。
【００３２】
このとき、本発明の蓄電ユニットは、蓋６の全体がケース５の開口部５ｊ内に挿入（収容）されているので、蓋６とケース５の境目（継ぎ目）は側壁部（側壁５ａ、５ｈ）側には表れずに、ケース５の開口部５ｊ側のみに表れる。これにより、異物は蓋６とケース５の底面部５ｉが対向する方向（ｙ方向）以外は、ケース５の外部から内部へ入り込むことができなくなる。この場合、このケース５の開口部５ｊを下方に向けることにより、上記境目から水滴などの異物が入り込む可能性を大きく低減させることができる。本発明において、ケース５の内部に蓋６は全部収容される必要はなく、一部であってもいい。また本実施例の蓋６には貫通孔６ａが設けられ、この貫通孔６ａから、コネクタ４をケース５の外部へ露出させている。この構成により、コネクタ４と蓋６の境目（継ぎ目）もケース５の開口部５ｊ側に形成させることができるため、より信頼性高く、ケース５の内部へ異物が入りこむことを抑えることができる。
【００３３】
また、図１、図２、図４などに示すように、側壁５ａ（側壁部）および底面部５ｉの外面上に固定具接続部８が設けられている。固定具接続部８には、中央に突起８ｂが形成された嵌合面８ａと、この嵌合面８ａの互いに対向する一対の側端辺に沿って（図中ｚ方向に）形成された一対の挟持部８ｃを有する。なお、挟持部８ｃは、本発明の「第３の溝」の一例である。
【００３４】
図９は、本実施例の蓄電ユニットを他の部材に固定する方法を示した模式図である。図９を用いて、蓄電ユニットを他の部材に固定する方法について説明する。固定具接続部８が上記構成を備えることにより、図９に示すような平板状の部位を有する固定具９を用いることができる。すなわち、固定具９は、中央に支持孔９ｂが形成された接続面９ａを有する。この接続面９ａのｙ方向の幅は、一対の挟持部８ｃの間隔に略等しく、接続面９ａのｘ方向の厚みは、挟持部８ｃの挟持幅（溝幅）に略等しい。この場合、固定具９の接続面９ａを図中の矢印に示すように、接続面９ａを嵌合面８ａに摺動させながら、上方から挟持部８ｃの間に挿入することができるので、嵌合面８ａおよび挟持部８ｃにより接続面９ａを容易に保持することができる。ここで、嵌合面８ａに突起８ｂが形成され、接続面９ａに支持孔９ｂが形成されているので、接続面９ａを固定具接続部８に挿入する際に、接続面９ａおよび嵌合面８ａの少なくとも一方は弾性変形するが、突起８ｂを支持孔９ｂに収めることにより、上記弾性変形は元に戻る。これにより、接続面９ａは固定具接続部８から抜けにくくなるため、より強固に固定具９を固定具接続部８と固定することができる。
【００３５】
ここで、本実施例の蓄電ユニットでは、ガイド溝５ｃが形成されているガイド壁５ｂと側壁５ａとの間に、空隙５ｆが設けられている。また、ガイド溝５ｄは、固定具接続部８と対向する側壁５ａの内面よりもさらに底面部５ｉ側に形成されている。これらの構成により、ガイド溝５ｃおよびガイド溝５ｄ内に制御基板３の両端辺およびホルダー２の鍔部２ｅがそれぞれ挿入されている場合であっても、突起８ｂが形成された嵌合面８ａが上記弾性変形を容易に行うことができる。さらに、嵌合面８ａが上記弾性変形する際に、制御基板３の両端辺およびホルダー２の鍔部２ｅを、水平方向にさらに押圧することがないので、制御基板３およびホルダー２が破損することを抑制することができる。
【００３６】
この場合、側壁５ａおよび底面部５ｉにおいて、嵌合面８ａが形成された箇所をほかの箇所と比べて薄肉化させることが好ましい。これにより、嵌合面８ａが撓み易くなるので、容易に接続面９ａを固定具接続部８に挿入することができる。また本実施例の挟持部８ｃは、両端が上下方向（ｚ方向）に開口しているため、上下どちらからも、固定具９を嵌合させることができ、この蓄電ユニットが搭載される機器に対する搭載自由度を高めることができる。
【００３７】
なお、本実施例のガイド溝５ｃは、ガイド壁５ｂ上に形成されていたが、本発明の構成はこれに限定されず、一定の厚さを有した側壁５ａの内側の面に直接形成してもよい。つまり、ケース５の内部に互いに対向した一対の面であれば、ガイド溝５ｃを形成することが可能である。ただし、ガイド壁５ｂに設けた構成の方が、上記のように空隙５ｆを容易に形成することができるので、固定具接続部８を設ける上では好ましい。
【００３８】
次に、本発明の他の実施例における蓄電ユニットの構成について説明する。なお、上記実施例における蓄電ユニットと同様の構成については同じ符号を付して説明を省略する。
【００３９】
図１０は、本発明の他の実施例における蓄電ユニットのケース１５の開口部１５ｊと蓋１６の近傍を示した部分斜視図である。図１１は、本発明の他の実施例における蓄電ユニットを図１０における切断線ＤＤに基づき切断して示した開口部１５ｊ側の部分断面図である。
【００４０】
図１０、図１１に示すように、本発明の他の実施例における蓄電ユニットでは、蓋１６は、ケース１５の開口部１５ｉ内に収容されている。これにより、開口部１５ｊ側の側壁１５ａおよび１５ｈの端部には、蓋１６より外側に突出した庇部１５ｋ、１５ｍが形成されている。このように構成することにより、庇部１５ｋ、１５ｍにより蓋１６とケース１５との繋ぎ目がケース１５の内側に配置することができる。これにより、例えば、側壁１５ａまたは１５ｈを伝って水滴が開口部１５ｊに向かって流れてきた場合であっても、ケース１５内へ水滴が浸入することを抑制することができる。これにより、本発明の他の実施例における蓄電ユニットでは、防水規格ＩＰｘ１の適用が可能になる。このとき、庇部１５ｋ、１５ｍの長さは、１０ｍｍ以下、好ましくは、４ｍｍ程度である。
【００４１】
また、本発明の他の実施例における蓄電ユニットでは、蓋１６の外面の貫通孔１６ａの周辺に、隆起部１６ｃを有している。これにより、蓋１６の外面を伝って水滴が流れてきた場合に、貫通孔１６ａからケース１５内に水滴が浸入することを抑制できる。
【００４２】
また、図１２は、本発明の他の実施例における蓄電ユニットの部分正面図である。図１２に示すように、蓋１６の端辺の一部に切欠部１６ｄを形成することにより、蓋１６とケース１５の側壁部（側壁１５ａ、１５ｈ）の内面との間に隙間部１５ｎが形成されている。これにより、ケース１５内に水滴などが入り込んだ場合であっても、隙間部１５ｎから水滴を排出することができるので、ケース１５内に水が溜まることを抑制できる。上記のように隙間部１５ｎは排出孔として機能することができるが、必要以上に大きな開口部を形成すると不要な異物が入りやすくなる。そのため、隙間部１５ｎの最大開口幅は１０ｍｍ以下（例えば２ｍｍ程度）とすることができ、その形状は、略円形や略三角形などを適宜選択することができる。また、隙間部１５ｎを形成する際には、上述のように、蓋１６の一部を切り欠く代わりに、蓋１６に貫通孔を形成してもよい。また、隙間部１５ｎは、ケース１５の側壁部（側壁１５ａ、１５ｈ）の内面に沿った位置に形成されるのが好ましいが、特に、ケース１５が角筒状である場合には、ケース１５の側壁１５ａと側壁１５ｈの角部に設けられることが好ましい。
【産業上の利用可能性】
【００４３】
本発明の蓄電ユニットは、ケースの外面に表れる蓋との境目（継ぎ目）を減らすことができるので、ケース内への異物が入りこむことを抑制できる。これにより、異物の侵入により蓄電ユニットが故障することを抑制することができる。そのため、使用環境が多様であり、高い信頼性が要求される電子機器の蓄電デバイスとして使用されることが期待される。
【符号の説明】
【００４４】
１  蓄電装置
１ａ  外装容器
１ｂ  封口材
１ｃ  外部端子
２  ホルダー
２ａ  収容室
２ｂ、２ｃ  固定爪
２ｄ  端子支持部
２ｅ  鍔部（側端部）
２ｆ  鍔部（突出部）
２ｇ、２ｈ  基板支持部
３  制御基板
４  コネクタ（外部接続端子）
５、１５  ケース
５ａ、５ｈ、１５ａ、１５ｈ  側壁
５ｂ  ガイド壁
５ｃ  ガイド溝（第１の溝）
５ｄ  ガイド溝（第２の溝）
５ｅ  凹部
５ｆ  空隙
５ｇ  蓋収容部
５ｉ  底面部
５ｊ、１５ｊ  開口部
６、１６  蓋
６ａ、１６ａ  貫通孔
６ｂ  ビス孔
７  ビス
８  固定具接続部
８ａ  嵌合面
８ｂ  突起
８ｃ  挟持部（第３の溝）
１５ｋ、１５ｍ  庇部
１５ｎ  隙間部
１６ｃ  隆起部
１６ｄ  切欠部
【図１】
0006596673.tif 000002
【図２】
0006596673.tif 000003
【図３】
0006596673.tif 000004
【図４】
0006596673.tif 000005
【図５】
0006596673.tif 000006
【図６】
0006596673.tif 000007
【図７】
0006596673.tif 000008
【図８】
0006596673.tif 000009
【図９】
0006596673.tif 000010
【図１０】
0006596673.tif 000011
【図１１】
0006596673.tif 000012
【図１２】
0006596673.tif 000013
【図１３】
0006596673.tif 000014